(57)【要約】  【課題】少なくとも２つの相対する扉等の開閉体を備える冷凍冷蔵庫において、各開閉体の開閉状態を検出するスイッチの数を減らして、各開閉体の材質に金属以外のものを用いることを可能とし、前記開閉体の傾きも検出できる冷凍冷蔵庫を提供する。  【解決手段】開閉体１２と、ホール素子１３、磁性体１４、報知手段１５および制御部とを備え、開閉体１２の対向端面にホール素子１３と磁性体１４を配置して、制御部にホール素子１３の検出磁束密度をしきい値１としきい値２と比較するホール素子磁束密度比較部を設けることにより、開閉体１２には金属以外の材料を使用することができ、ホール素子１３の検出磁束密度がしきい値１未満ならば開閉体は開放状態であり、ホール素子１３の検出磁束密度がしきい値１以上でしきい値２以下ならば、開閉体に傾きが発生していると判断して、使用者に報知することができる。【選択図】図１
2008101811.tif 000002
【特許請求の範囲】
【請求項１】
少なくとも２つの相対する扉等の開閉体を備える冷凍冷蔵庫において、前記各開閉体が閉じた位置にあるときに向かい合うそれぞれの対向端面に、磁性体の磁束密度の変化を検出するホール素子と磁性体を設けたことを特徴とした冷凍冷蔵庫。
【請求項２】
前記各開閉体が閉じた位置で、前記ホール素子が検出する磁束密度の値が一定範囲内に低下した場合には、前記各開閉体に傾きが生じたと判断することを特徴とした請求項１に記載の冷凍冷蔵庫。
【請求項３】
前記ホール素子が検出する磁束密度の値が一定値以下となった場合には使用者に前記各開閉体に傾きが生じたことや、前記各開閉体が開放状態であることを報知する手段を有することを特徴とした請求項１または２に記載の冷凍冷蔵庫。
【発明の詳細な説明】
【技術分野】
【０００１】
本発明は、冷凍冷蔵庫に関するものであり、詳しくは冷凍冷蔵庫の扉開閉や扉の傾きの検出方法に関する。
【背景技術】
【０００２】
従来、冷凍冷蔵庫の扉の開放により冷凍冷蔵庫内部の冷気が外部に漏れ出すのを防ぐため、冷凍冷蔵庫の各扉の開閉を検知するための扉開閉検知手段が各扉にそれぞれ１つずつ設けられてきた。しかしながら、複数の扉を有する冷凍冷蔵庫においては各扉の開閉を検知するための扉開閉検知手段は扉の数だけ必要となるため、構造が複雑になり、コストも増加するという問題点があった。そのためより少ない数の扉開閉検出手段で各扉の開閉を検出できるものが望まれており、一例として、２つの相対する扉等の開閉体のいずれか一方の対向端面に金属を検知する非接触型近接スイッチを備えた冷凍冷蔵庫が開示されている（例えば、特許文献１参照）。
【０００３】
以下、図面を参照しながら上記従来の冷凍冷蔵庫の扉開閉の検出手段について説明する。
【０００４】
図６は、特許文献１に記載された従来の冷凍冷蔵庫の斜視図である。図６に示すように、この冷凍冷蔵庫１には前面に開放され相対する回動扉で形成された開閉体３が上下段に２組、すなわち４個設けられ、上段の開閉体３ａ、３ｂが相対され、下段の開閉体３ｃ、３ｄが相対されている。上段の開閉体３ａ、３ｂが閉じられたときには、各開閉体３ａ、３ｂの対向端面１０が近接し、下段の相対する開閉体３ｃ、３ｄが閉じられたときには、各開閉体３ｃ、３ｄの対向端面１０が近接する。そして、上段の開閉体３ａ、３ｂにおいては一方の開閉体３ａの対向端面１０に金属を検出する非接触型の単一の近接スイッチ９が取り付けられ、下段の開閉体３ｃ、３ｄにおいては一方の開閉体３ｃの対向端面１０に金属を検出する非接触型の単一の近接スイッチ９が取り付けられている。
【０００５】
以上のように構成された従来の冷凍冷蔵庫について、以下その動作を説明する。
【０００６】
まず、各スイッチ９は各開閉体３がステンレス等の金属製であれば、各開閉体３が閉じられた位置にあるときにのみ動作して、各開閉体３が開かれた位置にあるときには動作しないようになっている。このように、相対する開閉体３の片方のみに単一のスイッチ９を設けることで、開閉体３の開閉状態を検知できるので、スイッチ９の個数を開閉体３の個数に比べて減少することができ、コストダウンが可能となる。
【特許文献１】特開２０００−１９９６８０号公報
【発明の開示】
【発明が解決しようとする課題】
【０００７】
しかしながら、上記従来の技術では各開閉体の開閉状態を検出するスイッチを金属を検出する非接触型の単一の近接スイッチとしているため、各開閉体の材質が金属でなければ各開閉体の開閉状態を検出できないことや、各開閉体の材質が金属であっても各開閉体の対向端面に汚れが付着したり錆びが発生した場合にも、各開閉体の開閉状態を検出できなくなるという問題点があった。
【０００８】
本発明は、上記従来の課題を解決するもので、少なくとも２つの相対する扉等の開閉体を備える冷凍冷蔵庫において、各開閉体の開閉状態を検出するスイッチの数を減らして、各開閉体の材質に金属以外のものを用いても各開閉体の開閉状態をより確実に検出することができる冷凍冷蔵庫を提供することを目的とする。
【課題を解決するための手段】
【０００９】
上記従来の課題を解決するために、本発明の冷凍冷蔵庫は、少なくとも２つの相対する扉等の開閉体を備える冷凍冷蔵庫において、前記各開閉体が閉じた位置にあるときに向かい合うそれぞれの対向端面に磁性体の磁束密度の変化を検出するホール素子と磁性体を設けるようにしたものである。
【００１０】
これによって、各開閉体の開閉状態を検出する検出手段の数を減らすことが可能となるため低コスト化が図れるとともに、各開閉体の材質は金属でなくても各開閉体の開閉状態を検出することができる。
【発明の効果】
【００１１】
本発明の冷凍冷蔵庫は、少なくとも２つの相対する扉等の開閉体を備える冷凍冷蔵庫において、前記各開閉体が閉じた位置にあるときに向かい合うそれぞれの対向端面に、磁性体の磁束密度の変化を検出するホール素子と磁性体を設けたことを特徴としており、これにより各開閉体の開閉状態を検出する検出手段の数を減らすことが可能となるため低コスト化が図れるとともに、各開閉体の材質は金属でなくても各開閉体の開閉状態を検出することができるため、各開閉体を金属以外の樹脂などのさまざまな材料で構成することができる。
【００１２】
また、本発明の冷凍冷蔵庫は、少なくとも２つの相対する扉等の開閉体を備える冷凍冷蔵庫において、前記各開閉体が閉じた位置にあるときに向かい合うそれぞれの対向端面に磁性体の磁束密度の変化を検出するホール素子と磁性体を設けるようにしており、前記各開閉体が閉じた位置にあるにもかかわらず前記ホール素子が検出する磁束密度の値が一定範囲内に低下した場合には、前記各開閉体に傾きが生じたと判断することを特徴としており、これにより冷凍冷蔵庫の生産工程で各開閉体取り付け時に傾きが生じたことを検出して冷凍冷蔵庫の外観品質を向上させることが可能となり、また使用中に各開閉体に傾きが生じたことを検出して、各開閉体の傾きが更に増大することを未然に防ぐことができる。
【発明を実施するための最良の形態】
【００１３】
請求項１に記載の発明は、少なくとも２つの相対する扉等の開閉体を備える冷凍冷蔵庫において、前記各開閉体が閉じた位置にあるときに向かい合うそれぞれの対向端面に、磁性体の磁束密度の変化を検出するホール素子と磁性体を設けるようにしており、これにより各開閉体の開閉状態を検出する検出手段の数を減らすことが可能となるため低コスト化が図れるとともに、各開閉体の材質は金属でなくても各開閉体の開閉状態を検出することができるため、各開閉体を金属以外の樹脂などのさまざまな材料で構成することができる。
【００１４】
請求項２に記載の発明は、請求項１に記載の発明において、前記各開閉体が閉じた位置で、前記ホール素子が検出する磁束密度の値が一定範囲内に低下した場合には、前記各開閉体に傾きが生じたと判断するものであり、冷凍冷蔵庫の生産工程で各開閉体取り付け時に傾きが生じたことを検出して、冷凍冷蔵庫の外観品質を向上させることが可能となり、また使用中に各開閉体に傾きが生じたことを検出して、各開閉体の傾きが更に増大することを未然に防ぐことができる。
【００１５】
請求項３に記載の発明は、請求項１または２に記載の発明において、前記ホール素子が検出する磁束密度の値が一定値以下となった場合には使用者に前記各開閉体に傾きが生じたことや、前記各開閉体が開放状態であることを報知する手段を有するものであり、冷凍冷蔵庫を使用中に各開閉体に傾きが生じた場合には使用者は各開閉体に傾きが生じたことを認知することが可能となり、また各開閉体の開放状態を認知することが可能となるので、各開閉体の傾きが更に増大することや、冷凍冷蔵庫の庫内の冷気が漏れ出すことなどを未然に防ぐことができる。
【００１６】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１７】
（実施の形態１）
図１は本発明の実施の形態１における冷凍冷蔵庫の構成を示す斜視図である。
【００１８】
図１において、冷凍冷蔵庫１１は上段開閉体１２ａ、１２ｂと下段開閉体１２ｃ、１２ｄからなる開閉体１２と、上段開閉体１２ａ、１２ｂと下段開閉体１２ｃ、１２ｄの向かい合うそれぞれの対向端面に磁束密度を検出するホール素子１３と磁性体１４、および上段開閉体１２ａ、１２ｂまたは下段開閉体１２ｃ、１２ｄの開放や傾きを使用者に報知する報知手段１５を有する。
【００１９】
ホール素子１３と磁性体１４は、上段開閉体１２ａ、１２ｂまたは下段開閉体１２ｃ、１２ｄが近接したとき、すなわち、閉じられた状態にあるときにはホール素子１３は磁性体１４の磁束密度をほぼそのまま検出するように配置されている。
【００２０】
図２は本発明の実施の形態１における使用者に上段開閉体または下段開閉体の開放や傾きを報知する報知手段の構成を示す図である。
【００２１】
図２において、報知手段１５は例えば上段開閉体１２ｂに設けている。この報知手段１５は開閉体１２の開放状態を使用者に報知する開閉体開放報知アラーム１６と、開閉体１２の傾きを使用者に報知する開閉体傾き報知アラーム１７を有している。
【００２２】
図３は本発明の実施の形態１におけるホール素子の検出磁束密度と開閉体の状態を示した図である。
【００２３】
開閉体１２に傾きが発生していないときには、開閉体１２が閉じられた状態にあるときにはホール素子１３は磁性体１４の磁束密度をほぼそのまま検出するが、開閉体１２に傾きが発生すると、開閉体１２が閉じられた状態にあっても、ホール素子１３は磁性体１４から離れてくるため、ホール素子１３の検出磁束密度はしきい値２を下回るようになる。一方、開閉体１２が開放状態にあるときには、ホール素子１３の検出磁束密度は開閉体１２の傾きの発生の有無にかかわらずほぼ０となり、しきい値１未満となる。すなわち、開閉体１２に傾きが発生すると、ホール素子１３の検出磁束密度はしきい値１より大きく、しきい値２より小さい値となる。
【００２４】
図４は本発明の実施の形態１における冷凍冷蔵庫の制御部を主とした電気的構成を示したブロック図である。
【００２５】
制御部１８は例えばマイクロコンピュータから成っており、冷凍冷蔵庫１１の運転全体を制御する制御手段として機能するものである。この制御部１８にはホール素子１３からの入力であるホール素子磁束密度検出信号入力１９が入力されるようになっており、そのほかに冷凍冷蔵庫の各室に設けられた温度センサ信号などが入力されるようになっている。
【００２６】
そして制御部１８はそれらの入力を用いて、あらかじめ記憶された演算プログラムに基づいて演算を行い、駆動回路２２から開閉体開放報知アラーム１６への出力である開閉体開放報知アラーム出力２３、開閉体傾き報知アラーム１７への出力である開閉体傾き報知アラーム出力２４、及びそのほかの冷蔵庫の駆動装置を駆動させるための駆動制御信号を与えるようになっている。また制御部１８には、ホール素子磁束密度検出信号入力１９の値をしきい値１およびしきい値２と比較するホール素子磁束密度比較部２０と、ホール素子磁束密度検出信号入力１９の値がしきい値１未満である時間をカウントするホール素子磁束密度タイマー２１が内蔵されており、ホール素子磁束密度比較部２０とホール素子磁束密度タイマー２１の演算結果により報知手段１５に開閉体開放報知アラーム１６への出力である開閉体開放報知アラーム出力２３と開閉体傾き報知アラーム１７への出力である開閉体傾き報知アラーム出力２４を出力する。
【００２７】
以上のように構成された冷凍冷蔵庫について、以下その動作、作用を説明する。
【００２８】
図５は本発明の実施の形態１における使用者に開閉体の開放状態や傾きの発生の報知を行うまでの制御動作を示したフローチャートである。
【００２９】
まず冷凍冷蔵庫の電源が投入されると、ステップＳＴ１において、ホール素子磁束密度検出信号入力１９がしきい値２以下であるかどうかを判断する。ホール素子磁束密度検出信号入力１９がしきい値２以下である場合にはステップＳＴ２に移行して、ホール素子磁束密度検出信号入力１９がしきい値１未満であるかどうかを判断する。ホール素子磁束密度検出信号入力１９がしきい値２以下でない場合には開閉体１２は閉じられた状態であると判断して、再びステップＳＴ１に戻る。
【００３０】
次に、ステップＳＴ２においてホール素子磁束密度検出信号入力１９がしきい値１未満であると判断した場合には、開閉体１２は開放状態であると判断してステップＳＴ３に移行し、一定時間以上開閉体１２の開放状態が継続した場合にはステップＳＴ４に移行して、使用者に開閉体１２の開放状態を報知する。
【００３１】
また、ステップＳＴ２においてホール素子磁束密度検出信号入力１９がしきい値１未満ではないと判断した場合には、開閉体１２に傾きが発生していると判断してステップＳＴ５に移行して、使用者に開閉体１２の傾きの発生を報知する。
【００３２】
以上のように、本発明にかかる冷凍冷蔵庫は少なくとも２つの相対する扉等の開閉体を備える冷凍冷蔵庫において、前記各開閉体が閉じた位置にあるときに向かい合うそれぞれの対向端面に、磁性体の磁束密度の変化を検出するホール素子と磁性体を設けたことにより各開閉体の開閉状態を検出する検出手段の数を減らすことが可能となるため低コスト化が図れるとともに、従来のように各開閉体の材質は金属でなくても各開閉体の開閉状態を検出することができるため、各開閉体を金属以外の樹脂などのさまざまな材料で構成することができる。
【００３３】
また、本発明の冷凍冷蔵庫は前記ホール素子が検出する磁束密度の値が一定範囲内となった場合には、前記各開閉体に傾きが生じたと判断することにより冷凍冷蔵庫の生産工程で各開閉体取り付け時に傾きが生じたことを検出して、冷凍冷蔵庫の外観品質を向上させることが可能となり、また使用中に各開閉体に傾きが生じたことを検出して、各開閉体の傾きが更に増大することを未然に防ぐことができる。
【産業上の利用可能性】
【００３４】
以上のように、本発明にかかる冷凍冷蔵庫は少なくとも２つの相対する扉等の開閉体を備える冷凍冷蔵庫において、各開閉体の開閉状態を検出する検出手段の数を減らすことが可能となるため低コスト化が図れるとともに、従来のように各開閉体の材質は金属でなくても各開閉体の開閉状態を検出することができるため、各開閉体を金属以外の樹脂などのさまざまな材料で構成することが可能となり、また前記ホール素子が検出する磁束密度の値が一定範囲内となった場合には前記各開閉体に傾きが生じことを検出することが可能となるため、開閉体を有する機器において開閉体の材料にかかわらず開閉体の開放状態の検出や開閉体の位置のずれを検出することにも適用できる。
【図面の簡単な説明】
【００３５】
【図１】本発明の実施の形態１における冷凍冷蔵庫の構成を示す斜視図
【図２】本発明の実施の形態１における使用者に開閉体の開放状態や開閉体の傾きの発生を報知する報知手段の構成を示す図
【図３】本発明の実施の形態１におけるホール素子の検出磁束密度と開閉体の状態を示す図
【図４】本発明の実施の形態１における冷凍冷蔵庫の制御部のブロック図
【図５】本発明の実施の形態１における使用者に開閉体の開放状態や開閉体の傾きの発生の有無を報知するフローチャート
【図６】従来の冷凍冷蔵庫の斜視図
【符号の説明】
【００３６】
１１  冷凍冷蔵庫
１２  開閉体
１２ａ  上段開閉体
１２ｂ  上段開閉体
１２ｃ  下段開閉体
１２ｄ  下段開閉体
１３  ホール素子
１４  磁性体
１５  報知手段
１６  開閉体開放報知アラーム
１７  開閉体傾き報知アラーム
１８  制御部
１９  ホール素子磁束密度検出信号入力
２０  ホール素子磁束密度比較部
２１  ホール素子磁束密度タイマー
２２  駆動回路
２３  開閉体開放報知アラーム出力
２４  開閉体傾き報知アラーム出力
【図１】
2008101811.tif 000003
【図２】
2008101811.tif 000004
【図３】
2008101811.tif 000005
【図４】
2008101811.tif 000006
【図５】
2008101811.tif 000007
【図６】
2008101811.tif 000008